(57)【特許請求の範囲】
【請求項１】
ステータ巻線(3)を有するステータ(4)を内蔵するハウジングケース(1)と、前記ハウジングケース(1)の外周の一部から前記ステータ(4)の径方向に沿って外側へ一体形成された突出部(1b)と、前記突出部(1b)の面に形成され前記突出部(1b)の突出方向(A)と直交する方向に長手方向(B)を有する引出し用凹部(6)に設けられ前記ステータ巻線(3)と接続されると共に前記突出方向(A)に沿って並設される複数のリード線(12)を案内するための複数の案内孔(10)を有するリード線案内体(7)と、前記ハウジングケース(1)のＵ字型をなすＯリング用溝(5)に設けられ前記リード線案内体(7)の前記Ｏリング用溝(5)と連続する案内溝(8)に連続して位置するＯリング(9)と、前記ハウジングケース(1)の端面(1a)に着脱自在に設けられ前記Ｏリング(9)及び前記リード線案内体(7)を押圧するための前蓋(2)とを備えたモータのリード線引出し口構造において、前記引出し用凹部(6)の内壁に形成され外方に拡がるテーパ壁(20)と、前記案内孔(10)に形成されこの案内孔(10)の入口の径よりも小径の細径部(11)と、前記リード線案内体(7)の外壁に形成されたテーパ側部(7a)と、前記引出し用凹部(6)に形成された凹条部(21)と、前記リード線案内体(7)の外周に形成され前記凹条部(21)に嵌入する凸条部(22)と、を備え、前記各テーパ側部(7a)は前記テーパ壁(20)に接合する構成としたことを特徴とするモータのリード線引出し口構造。
【発明の詳細な説明】
【０００１】
【発明の属する技術分野】
本発明は、モータのリード線引出し口構造に関し、特に、リード線案内体のテーパ壁とリード線の案内孔の細径部とにより簡単で確実な防水を得るための新規な改良に関する。
【０００２】
【従来の技術】
従来、用いられていたこの種のモータのリード線引出し口構造としては、一般に、ステータを内蔵したハウジングケースにリード線を貫通させる穴を設け、この穴に設けたゴム製のグロメットを介してリード線を外部へ導出していた。
【０００３】
【発明が解決しようとする課題】
従来のモータのリード線引出し口構造としては、以上のように構成されていたため、次のような課題が存在していた。すなわち、ステータ巻線にリード線を接続した後、このリード線をハウジングケースに固定すると共に、このリード線を外部に引出すためには、穴に設けたグロメットの案内孔を貫通させなければならず、リード線の引き回しが難しく作業性が悪く、量産モータとしては極めて不適格な構造となっていた。
【０００４】
本発明は、以上のような課題を解決するためになされたもので、特に、リード線案内体のテーパ壁とリード線の案内孔の細径部とにより簡単で確実な防水を得るようにしたモータのリード線引出し口構造を提供することを目的とする。
【０００５】
【課題を解決するための手段】
本発明によるモータのリード線引出し口構造は、ステータ巻線を有するステータを内蔵するハウジングケースと、前記ハウジングケースの外周の一部から前記ステータの径方向に沿って外側へ一体形成された突出部と、前記突出部の面に形成され前記突出部の突出方向と直交する方向に長手方向を有する引出し用凹部に設けられ前記ステータ巻線と接続されると共に前記突出方向に沿って並設される複数のリード線を案内するための複数の案内孔を有するリード線案内体と、前記ハウジングケースのＵ字型をなすＯリング用溝に設けられ前記リード線案内体の前記Ｏリング用溝と連続する案内溝に連続して位置するＯリングと、前記ハウジングケースの端面に着脱自在に設けられ前記Ｏリング及び前記リード線案内体を押圧するための前蓋とを備えたモータのリード線引出し口構造において、前記引出し用凹部の内壁に形成され外方に拡がるテーパ壁と、前記案内孔に形成されこの案内孔の入口の径よりも小径の細径部と、前記リード線案内体の外壁に形成されたテーパ側部と、前記引出し用凹部に形成された凹条部と、前記リード線案内体の外周に形成され前記凹条部に嵌入する凸条部と、を備え、前記各テーパ側部は前記テーパ壁に接合するようにした構成である。
【０００６】
従って、このリード線案内体の各案内孔にリード線を予め通した後に、このリード線案内体をハウジングケースの引出し用凹部に載置するのみでリード線をハウジングケースに設けることができるため、ハウジングケースに対するリード線の取付けが極めて容易である。また、ハウジングケースの引出し用凹部のテーパ壁にリード線案内体のテーパ側部が接合すると共に、リード線案内体の案内孔に形成した細径部にリード線が貫通して設けられているため、このテーパ壁と細径部とにより確実な防水構造を達成することができる。
【０００７】
【発明の実施の形態】
以下、図面と共に本発明によるモータのリード線引出し口構造の好適な実施の形態について詳細に説明する。
図１において符号１で示されるものは前蓋２を除去した状態を示すカップ状のハウジングケースであり、このハウジングケース１の内側にはステータ巻線３を有するステータ４が内蔵されている。このハウジングケース１の端面１ａには、ほぼＵ字型をなすＯリング用溝５が形成されており、この突出部１ｂには引出し用凹部６が形成され、この引出し用凹部６内には案内溝８を有するリード線案内体７が嵌合されている。前記Ｏリング用溝５と案内溝８とは互いに接続されるように連続構成されている。尚、前記突出部１ｂはハウジングケース１の外周の一部からステータ４の径方向に沿って外側へ一体形成され、引出し用凹部６は突出部１ｂの面に形成され、この突出部１ｂの突出方向Ａと直交する方向に長手方向Ｂを有するように設けられている。
【０００８】
前記Ｏリング用溝５及び案内溝８内には、これらを跨るように連続して１本の無端状のＯリング９が嵌め込まれており、前記リード線案内体７に形成された複数の案内孔１０には、この案内孔１０の入口の径よりも小径の細径部１１が形成され、この各案内孔１０に貫通して設けられたリード線１２はこの細径部１１と蜜合し、外部からの水又は湿気を防止する防水構造で構成されている。尚、前記各リード線１２は前記突出方向Ａに沿って並設されている。
前記リード線１２は、このリード線１２に接続されたＬ型接続金具１３に接続され、このＬ型接続金具１３に前記ステータ巻線３が接続されていることにより、このステータ巻線３とリード線１２とは互いに接続されている。
【０００９】
前記引出し用凹部６の内壁には、図４で示すように外方すなわち図４の上方側に向けて拡がる状態のテーパ壁２０及びこのテーパ壁２０には凹条部２１が形成されており、前記リード線案内体７の外壁もこのテーパ壁２０に沿ってテーパ状に形成されたテーパ側部７ａが設けられていると共に、図５及び図６で示すように、この凹条部２１と嵌合するための凸条部２２が形成されている。
【００１０】
従って、前述の構成において、リード線１２を予め案内孔１０内に貫通させた状態のリード線案内体７を引出し用凹部６内に嵌入させると、リード線１２は簡単にハウジングケース１に取付けられ、ステータ巻線３と接続させることができる。さらに、この状態で、Ｏリング９をＯリング用溝５及び案内溝８に連続して嵌入させた後、前蓋２をハウジングケース１の端面１ａにボルト等を介して装着することにより、リード線１２を引出した状態のモータを構成することができる。従って、リード線１２を貫通させる案内孔１０の細径部１１及び引出し用凹部６のテーパ壁２０並びにＯリング９とにより防水構造が達成されている。
【００１１】
【発明の効果】
本発明によるモータのリード線引出し口構造は、以上のように構成されているため、次のような効果を得ることができる。すなわち、予めリード線を貫通させリード線案内体をハウジングケースの引出し用凹部に嵌め込んで前蓋を装着するのみでリード線の引出し作業を完了することができ、従来よりも大幅に引出し作業を容易化することができる。
また、ハウジングケースの引出し用凹部に形成されたテーパ壁及びリード線が貫通する案内孔の細径部とによって簡単に確実な防水構造を得ることができるものである。
【図面の簡単な説明】
【図１】  本発明によるモータのリード線引出し口構造を示す平面図である。
【図２】  図１の断面図である。
【図３】  図１のＯリング及びリード線案内体を除去した状態の平面図である。
【図４】  図３のＡ−Ａ断面図である。
【図５】  リード線案内体の半断面図である。
【図６】  図５の底面図である。
【符号の説明】
１    ハウジングケース
２    前蓋
３    ステータ巻線
４    ステータ
６    引出し用凹部
７    リード線案内体
７ａ    テーパ側部
８    案内溝
９    Ｏリング
１０    案内孔
１１    細径部
１２    リード線
２０    テーパ壁
２１    凹条部
２２    凸条部
１ｂ    突出部
Ａ    突出方向
Ｂ    長手方向
５    Ｏリング用溝
【図１】
0003641307.tif 000002
【図２】
0003641307.tif 000003
【図３】
0003641307.tif 000004
【図４】
0003641307.tif 000005
【図５】
0003641307.tif 000006
【図６】
0003641307.tif 000007